(57)【要約】【課題】  簡易な素材の組合せで、施工が容易な、遮音、吸音、透過音損失、制振、対衝撃に優れた免振遮音複合壁材の提供【解決手段】  板材の片面に凹凸面２とリブ状突起３を施した板材１をその加工面を対面して形成して組合わせる。  その際にリブ状突起３の天頂部の凹部に棒状緩衝材４を挟み込み、対面する板材１同士を非接触とする。  さらに複数存在するリブ状突起３の間に形成される空間部分に繊維質の素材などで構成される吸音材を充填する。  以上の構成により課題を実現する。【選択図】  図２
2006169935.tif 000002
【特許請求の範囲】
【請求項１】
山型あるいは台形あるいは波型の凹凸が連続する形状に表面を加工するとともに、一定間隔で天頂部を凹型に加工したリブ状突起を配した板材２枚を夫々加工面を対面させて、リブ状突起の天頂部の凹面に棒状の緩衝材を挟み込み、並存するリブ状突起間に形成される空間を吸音材で埋めて組合わせることにより、遮音、吸音、透過音損失、制振に有効で、衝撃の緩和に効果をあげる事を特徴とする免振遮音複合壁材
【発明の詳細な説明】
【技術分野】
【０００１】  本発明は免振遮音複合壁材に関するものである。
【背景技術】
【０００２】  従来の防音、遮音の考案は、例えば特許公開番号（２００３−３０２９７６）号のように、凹凸加工されたＡＬＣパネルの加工面に鉛シートなどを組合せ防音効果を高める物、特許公開番号（平１０−２１２７７２）号のように、遮音効果の高いボードと吸音効果の高いボードの間に吸音材を挟み込んでサンドイッチ構造にした物、実用新案公開番号（実開平６−８５２１）号のように板状体の間にゴム状弾性体からなる格子縞模様の網状体を挟み込み、サンドイッチ状に積層させ、透過損失の低下を抑制しているものなどがある。【０００３】  また、実際の製品においては吸音材、遮音材を積層して貼り合わせてあるものなどがある。【０００４】  それらを界壁等に利用する際の透過音、振動、衝撃の対策として間柱を二重に配置して、サウンドブリッジの形成を妨げようとする試みもなされている。
【特許文献１】  特開２００３−３０２９７６
【特許文献２】  特開平１０−２１２７７２
【実用新案文献１】
実開平６−８５２１
【発明の開示】
【発明が解決しようとする課題】
【０００５】  従来の技術では、パネルの構造か、あるいは素材の組合せにより遮音、防音、吸音を実現しているが、透過音損失、制振、衝撃に同時に対応する物はなく、施工時の建材の組合せにより、解決しようとする物が多い。【０００６】  よくある遮音構造は界壁などでは、壁下地のスタッド間に防音、遮音材を入れ、素材を積層した壁材を両面に施工して二重に壁を形成しているが、壁材に対する衝撃、あるいは制振、透過音損失に関しては効果が薄い。【０００７】  また、スタッドを二重に配置しサウンドブリッジの形成を抑制する構造のものもあるが、壁材自体が衝撃や透過音を吸収、遮断できないため、その効果はあまり期待できない。【０００８】  本発明は壁材自体が遮音、吸音に高い能力を持ち、透過音、振動、衝撃に対しても、特別な施工による対処に依存しない事を目的とするものである。
【課題を解決するための手段】
【０００９】  本発明は、山型あるいは台形あるいは波型の凹凸が連続する形状に表面を加工するとともに、一定間隔で天頂部を凹型に加工したリブ状突起を配した板材２枚を夫々加工面を対面させて、リブ状突起の天頂部の凹面に棒状の緩衝材を挟み込み、並存するリブ状突起間に形成される空間を吸音材で埋めて組合わせることにより、遮音、吸音、透過音損失、制振に有効で、衝撃の緩和に効果をあげる事を特徴とするものである。
【発明の効果】
【００１０】  本発明においては、板材の表面を凹凸状に加工することにより、その形状による消音効果を持ち、対面する板材間に空気層を形成する事により吸音効果も得られる。【００１１】  さらに空気層を繊維質などの吸音材を充填する事により、効果を高めている。【００１２】  板材に間隔を置いて配される、リブ状突起は、板材の剛性を高める働きをするとともに、その天頂部の凹部に棒状の緩衝材を嵌め込み、対面する板材を非接触とする事で、サウンドブリッジの形成を妨げる。【００１３】  また、棒状の緩衝材により衝撃を和らげ、振動を吸収する働きを持つ。【００１４】  以上の各要素により、複合的に遮音、吸音、透過音損失、制振、対衝撃に関して同時に効果をあげる。【００１５】  また、特殊な素材や製造法を用いないため、加工が簡易で、安価に製造できる。【００１６】  さらに施工上も特別な技術を必要としないので、幅広い用途が考えられる。
【発明を実施するための最良の形態】
【００１７】  図１、図２を参照にして本発明の遮音複合壁材の構成を説明する。【００１８】  図１は遮音複合壁材の切欠平面図、図２は切欠斜視図である。【００１９】  １は表面を凹凸加工した板材であり、凹凸加工の形状は、波型状、山型状、台形状などが適しているが図面では波型状を採用した。【００２０】  板材１は一般に建材としてよく使われる石膏ボードなどに用いる素材を、その加工時に表面全体に凹凸を付け、適度な間隔でリブ状突起３を配する形状に仕上げる。【００２１】  凹凸加工面２は消音を担うものであり、凹部において反射する音波が相互干渉により、消音される。【００２２】  本発明では凹部の深さを５ミリ程度、凸部の天頂間の幅を１０ミリ程度に想定しているが、測定により効果の高い寸法を選択したり、加工性を考慮して寸法を決めることになる。【００２３】  凹凸加工された表面上に適度な間隔を置いて配されるリブ状突起３は板材１と一体の物であり、成型時に同時に加工する。【００２４】  このリブ状突起の天頂部にも凹部を設け、棒状緩衝材４の受けとする。【００２５】  棒状緩衝材４は適度な硬度を持つゴムなどを棒状に加工したものである。【００２６】  板材１の加工面を対面させ、組み合わせる際にリブ状突起３の天頂部に収まった棒状緩衝材４により、図２に示すように２枚の対面する板材１同士を非接触としてサウンドブリッジの形成を妨げ、また衝撃の伝達を緩和する。【００２７】  ２枚の対面する板材１を組み合わせる際は、夫々のリブ状突起３の天頂部に収まる棒状緩衝材４を脱落防止のためゴム系の接着剤などで、数箇所程度、接着する。【００２８】  適度な間隔で配されたリブ状突起３の間で形成される空気層により吸音効果をもつが、本発明においては、さらに繊維質の素材などで構成される吸音材５を充填することにより、効果を高めている。【００２９】  また、この吸音材５が施工時の振動や経年変化などにより、ズレなどが生ずるのを防ぐため、対面する板材１が形成する空気層部分の厚みよりも厚く充填し、板材１により、圧縮気味に挟み込んだ様子を図２に示している。【００３０】  また、対面する板材１は夫々が同一の素材である必要はなく、密度、比重の異なる２種類の素材を用いて、共振対策としてもよい。【００３１】  図３から図６を参照して本発明を界壁などに応用する際の説明をする。【００３２】  図３は界壁構造の断面図であり、図４（ａ）は同平面図、（ｂ）は断面の詳細図である。【００３３】  図５はサウンドブリッジの形成を防ぐためのビスの使用例と詳細図であり、図６はスタッドと緩衝、固定のための組合せ材８の構成を示した斜視図である。【００３４】  本免振遮音複合壁材は単独でも高い、遮音、吸音、透過音損失、対衝撃特性を持つが、界壁などに応用した場合、スタッドを介した２重構造となるため、より高い効果をあげることができる。【００３５】  図３、図４（ａ）に示すように□型のスタッド７を間隔をとって配置し、組合せ材８を上下に、あるいは適当な間隔を持って複数個配して図６の如く結合する。【００３６】  スタッド７は一般的によく使われる軽量鉄骨材などで良いし、その形状も□型に限るものではなくＣ型のものなどでもよい。【００３７】  組合せ材８はゴムなどの衝撃を吸収する素材で成型されたもので、界壁の一方の面から、もう一方の面への透過音、振動、衝撃などを緩和する。【００３８】  こうして構成された軸組み下地の両面に本発明の免振遮音複合壁材を取り付けた断面図が、図３である。【００３９】  図４はその平面図であり、両面の免振遮音複合壁材がサウンドブリッジを形成していないことがわかる。【００４０】  ９は施工用ビスであり、図５（ｂ）に詳細を示す。【００４１】  施工用ビス９は壁材とスタッドを固着させるためのものであるが、通常のビスを使用した場合、壁材の両側面にサウンドブリッジを形成してしまうので、ビス頭用の緩衝ゴム１１を配した。【００４２】  図５（ａ）は遮音複合壁材に施工用ビス９を通した際の断面図である。【００４３】  サウンドブリッジの形成を阻害することを第一義とすれば、施工用ビス９の軸部と螺旋部は図５（ａ）の形状となり、ビス頭用緩衝ゴム１１の効果でサウンドブリッジを壁材の両面に形成しないことがわかるが、強度が重要な因子となる場合は通常のビスを使用する事となる。【００４４】  本発明の免振遮音複合壁材の持つ遮音、吸音、透過音損失、制振、対衝撃に関する効果を界壁などの施工時にスタッド７、組合せ材８、施工用ビス９を使用することにより、さらに高めることができる。【００４５】  また、本免振遮音複合壁材は一般的に建材で、よく用いられる寸法、高さ１８２０ｍｍ、幅９１０ｍｍなどで製造することになるが、施工時において現場での施工面の状態により、適宜、切断して使用することになり、リブ状突起３に挟まれた空間部分を切断する事態となる。【００４６】  この場合、免振遮音複合壁材の強度に問題がおきるので、あらかじめ棒状緩衝材４と同一の素材で、免振遮音複合壁材の空間部分の幅に適合する厚みを持った板状の緩衝材を用意しておき、切断面の空間部分に挿入し接着する。【００４７】  このようにすれば、切断されても免振遮音複合壁材の強度は保たれ、補強部分でのサウンドブリッジの形成を防ぐことができる。
【図面の簡単な説明】
【００４８】
【図１】  免振遮音複合壁材の切欠平面図である。
【図２】  免振遮音複合壁材の切欠斜視図である。
【図３】  実施形態の断面図である。
【図４】  ａは実施形態の平面図、ｂは断面の詳細図である。
【図５】  ａは実施形態のビス周辺の断面図、ｂはビスの詳細図である。
【図６】  実施形態のスタッドと組合せ材の斜視図である。
【符号の説明】
【００４９】１  表面を凹凸加工した板材
２  凹凸加工面
３  リブ状突起
４  棒状緩衝材
５  吸音材
６  空気層
７  スタッド
８  組合せ材
９  施工用ビス
１０  施工用ビス頭
１１  ビス頭緩衝ゴム
【図１】
2006169935.tif 000003
【図２】
2006169935.tif 000004
【図３】
2006169935.tif 000005
【図４】
2006169935.tif 000006
【図５】
2006169935.tif 000007
【図６】
2006169935.tif 000008